(57)【要約】  無線基地局装置は、全地球測位システムを利用して自己の設置位置情報を取得し、その設置位置情報を接続先情報サーバへ送信する。接続先情報サーバは、設置位置情報を受信し、その設置位置情報に対応する住所情報を住所データベースから取得し、さらに、その住所情報に対応する接続先情報を接続先データベースから取得し、その接続先情報を無線基地局装置へ送信する。無線基地局装置は、接続先情報を受信し、その接続先情報に基づいて、自己の接続先となるゲートウェイ装置や保守運用装置などに関する設定を行う。無線基地局装置の接続先を変更する場合には、オペレータは、接続先データベースの住所情報と接続先情報の対応関係を変更する。
2008142776.tif 000002
【特許請求の範囲】
【請求項１】
無線基地局装置において、
自装置の位置情報を取得する取得手段と、
該位置情報を管理装置へ送信する送信手段と、
該管理装置が該位置情報に基いた検索処理により得た接続先情報を該管理装置から受信する受信手段と、
該接続先情報を接続先として設定する設定手段と、
を備えたことを特徴とする無線基地局装置。
【請求項２】
自己の設置位置情報を取得する位置情報取得手段、前記位置情報取得手段により取得された設置位置情報をネットワークへ送信する位置情報送信手段、ネットワークから接続先情報を受信する接続先情報受信手段、および前記接続先情報受信手段により受信された接続先情報を設定する接続先設定手段を有する無線基地局装置と、
位置情報に住所情報が対応づけられた住所データベース、住所情報に接続先情報が対応づけられた接続先データベース、ネットワークから無線基地局装置の設置位置情報を受信する位置情報受信手段、前記位置情報受信手段により受信された設置位置情報に対応する住所情報を前記住所データベースから検索する住所検索手段、前記住所検索手段により得られた住所情報に対応する接続先情報を前記接続先データベースから検索する接続先検索手段、および前記接続先検索手段により得られた接続先情報をネットワークへ送信する接続先情報送信手段を有し、ネットワークを介して前記無線基地局装置と接続するネットワーク構成管理装置と、
を備えることを特徴とするネットワーク構成管理システム。
【請求項３】
前記位置情報取得手段は、全地球測位システムを利用して自己の設置位置情報を取得するＧＰＳレシーバを有することを特徴とする請求項２に記載のネットワーク構成管理システム。
【請求項４】
前記ネットワーク構成管理装置は、前記接続先データベースの更新情報を外部から取得する更新情報取得手段をさらに備え、該更新情報取得手段は、取得した更新情報に基づいて前記接続先データベースの登録情報を更新するとともに、該更新情報を前記接続先情報送信手段に渡し、
前記接続先情報送信手段は、前記更新情報取得手段から渡された更新情報をネットワークへ送信することを特徴とする請求項２に記載のネットワーク構成管理システム。
【請求項５】
位置情報に住所情報が対応づけられた住所データベースと、
住所情報に接続先情報が対応づけられた接続先データベースと、
ネットワークから無線基地局装置の設置位置情報を受信する位置情報受信手段と、
前記位置情報受信手段により受信された設置位置情報に対応する住所情報を前記住所データベースから検索する住所検索手段と、
前記住所検索手段により得られた住所情報に対応する接続先情報を前記接続先データベースから検索する接続先検索手段と、
前記接続先検索手段により得られた接続先情報をネットワークへ送信する接続先情報送信手段と、
を備えることを特徴とするネットワーク構成管理装置。
【請求項６】
前記接続先データベースの更新情報を外部から取得する更新情報取得手段をさらに備え、該更新情報取得手段は、取得した更新情報に基づいて前記接続先データベースの登録情報を更新するとともに、該更新情報を前記接続先情報送信手段に渡し、
前記接続先情報送信手段は、前記更新情報取得手段から渡された更新情報をネットワークへ送信することを特徴とする請求項５に記載のネットワーク構成管理装置。
【請求項７】
自己の設置位置情報を取得する位置情報取得工程と、
取得した前記設置位置情報をネットワークへ送信する位置情報送信工程と、
ネットワークから前記設置位置情報を受信する位置情報受信工程と、
受信した前記設置位置情報に対応する住所情報を、位置情報に住所情報が対応づけられた住所データベースから検索する住所検索工程と、
前記住所データベースから検索された住所情報に対応する接続先情報を、住所情報に接続先情報が対応づけられた接続先データベースから検索する接続先検索工程と、
前記接続先データベースから検索された接続先情報をネットワークへ送信する接続先情報送信工程と、
ネットワークから前記接続先情報を受信する接続先情報受信工程と、
受信した前記接続先情報を設定する接続先設定工程と、
を含むことを特徴とするネットワーク構成管理方法。
【請求項８】
前記接続先データベースの更新情報を外部から取得し、該更新情報に基づいて前記接続先データベースの登録情報を更新する接続先情報更新工程と、
前記更新情報をネットワークへ送信する更新情報送信工程と、
をさらに含むことを特徴とする請求項７に記載のネットワーク構成管理方法。
【発明の詳細な説明】
【技術分野】
【０００１】
本発明は、無線基地局装置、ネットワークに接続される無線基地局装置を管理するネットワーク構成管理システム、ネットワーク構成管理装置およびネットワーク構成管理方法に関するものである。
【背景技術】
【０００２】
ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等の移動通信システムでは、無線基地局装置（ＢＳ）は、ゲートウェイ装置（ＡＳＮ−ＧＷ：Ａｃｃｅｓｓ  Ｓｅｒｖｉｃｅ  Ｎｅｔｗｏｒｋ  Ｇａｔｅｗａｙ）や保守運用装置（ＯＭＣ：Ｏｐｅｒａｔｉｏｎ  ａｎｄ  Ｍａｉｎｔｅｎａｎｃｅ  Ｃｅｎｔｅｒ）などに接続される。そのため、無線基地局装置には、それらの接続先を特定するＩＰアドレス等の情報が設定される。【０００３】
基地局へダウンロードを行う従来技術として、例えば、特許文献１がある。ここでは、「無線基地局制御装置５と接続後、無線基地局７の電源を投入する（２１）。無線基地局７は電源投入を契機として初期設定制御部３６にて装置の自己診断を行い（２２）、立ち上がり完了後、無線基地局制御装置５に対し、ＨＹＰＥＲＬＩＮＫ“ＪａｖａＳｃｒｉｐｔ：ｖｏｉｄ（０）”図３の局情報読み出し処理部３２にて、局情報テーブル３１より前記自己情報を読み出し（２３）、送信制御部３４より自己情報を無線基地局制御装置５に対して送信する（２６）。無線基地局制御装置５では、送られてきたを受信し（２９）、回線番号と受信情報の対応付けを行い、自己管理情報として記憶するとともに、自己の識別番号、ソフト版数を付加し、交換機４経由で網サービス制御装置３へ送信する（２１１）。網サービス制御装置３では情報を受信し（２１５）、受信情報より、交換機４、無線基地局制御装置５、無線基地局７の対応付け及び編集を行い（２１６）、本情報を記憶・蓄積し（２１７）、無線基地局制御装置５を経由し、無線基地局７へダウンロードする（２１８）」ことを開示する。【０００４】
【特許文献１】特開平６−２６１３６２号公報（段落番号［００１０］〜［００１１］）
【発明の開示】
【発明が解決しようとする課題】
【０００５】
しかしながら、従来のネットワーク構成管理システムでは、ネットワークの保守および運用を行うオペレータ（以下、単にオペレータとする）が、多数の無線基地局装置に対して個々に接続先情報を設定するため、ネットワークの保守および運用に莫大な費用と時間がかかるという問題点がある。また、無線基地局装置の増加に伴い、ゲートウェイ装置や保守運用装置を増設する場合、一部の無線基地局装置の接続先を、既存のゲートウェイ装置や保守運用装置から、増設されたゲートウェイ装置や保守運用装置に変更する必要がある。この接続変えの作業は、非常に煩雑である。従来のネットワーク構成管理システムでは、オペレータは、この接続変えの作業も行わなければならない。【０００６】
本発明は、上記に鑑みてなされたものであって、より簡単に無線基地局装置に局データを設定することを目的する。
【課題を解決するための手段】
【０００７】
上述した課題を解決し、目的を達成するために、本発明は、以下の特徴を有する。無線基地局装置は、自装置の位置情報を取得し、その位置情報をネットワーク構成管理装置へ送信する。ネットワーク構成管理装置は、無線基地局装置の設置位置情報を受信し、その設置位置情報に対応する接続先情報を接続先データベースから取得し、その接続先情報を前記無線基地局装置へ送信する。接続先データベースには、位置情報と接続先情報との対応関係が記憶されている。無線基地局装置は、その接続先情報に基づいて、自己の接続先の設定を行う。
【発明の効果】
【０００８】
本発明によれば、より簡単に無線基地局装置に局データを設定することができる。
【図面の簡単な説明】
【０００９】
【図１】図１は、本発明にかかるネットワーク構成管理システムの主要な構成を示す図である。
【図２】図２は、住所データベースの構成を示す図である。
【図３】図３は、更新前の接続先データベースの構成を示す図である。
【図４】図４は、本発明にかかるネットワーク構成管理システムの更新前のネットワーク構成を示す図である。
【図５】図５は、本発明にかかるネットワーク構成管理システムの更新後のネットワーク構成を示す図である。
【図６】図６は、更新後の接続先データベースの構成を示す図である。
【図７】図７は、本発明にかかるネットワーク構成管理システムの接続先設定手順を示す図である。
【符号の説明】
【００１０】
１，４ａ，４ｂ，４ｃ，４ｄ  無線基地局装置
２  接続先情報サーバ
３  ＩＰネットワーク
１１  位置情報取得部
１２  位置情報送信部
１３  接続先情報受信部
１４  接続先設定部
２１  位置情報受信部
２２  住所データベース
２３  住所検索部
２４  接続先データベース
２５  接続先検索部
２６  接続先情報送信部
２７  更新情報取得部
【発明を実施するための最良の形態】
【００１１】
以下に、本発明にかかるネットワーク構成管理システム、ネットワーク構成管理装置およびネットワーク構成管理方法の実施例を図面に基づいて詳細に説明する。ここでは、本発明をＷｉＭＡＸシステムのネットワークに適用した例について説明する。なお、この実施例によりこの発明が限定されるものではない。【００１２】
図１は、本発明にかかるネットワーク構成管理システムの主要な構成を示す図である。また、図２および図３は、それぞれ、このネットワーク構成管理システムにおいて用いられる住所データベースおよび更新前の接続先データベースの構成を示す図である。図１に示すように、ネットワーク構成管理システムは、無線基地局装置（ＢＳ）１と、ネットワーク構成管理装置としての機能を有する接続先情報サーバ２を備えている。これら無線基地局装置１および接続先情報サーバ２は、図示省略したネットワークに接続されている。【００１３】
無線基地局装置１は、位置情報取得部１１、位置情報送信部１２、接続先情報受信部１３および接続先設定部１４を備えている。位置情報取得部１１は、アンテナおよびＧＰＳレシーバを有している。位置情報取得部１１は、全地球測位システムの衛星から電波を受信し、自己の設置位置情報として経度と緯度の情報を取得する。全地球測位システムおよびＧＰＳレシーバについては、周知の技術であるので、ここでは説明を省略する。無線基地局装置１には、予め接続先情報サーバ２のＩＰアドレスが設定されている。【００１４】
位置情報送信部１２は、接続先情報サーバ２のＩＰアドレスを宛先ＩＰアドレスに指定して、位置情報取得部１１が取得した設置位置情報をネットワークへ送信する。接続先情報受信部１３は、ネットワークを介して接続先情報サーバ２から接続先情報を受信する。この接続先情報には、無線基地局装置１の運用時の接続先となる（接続先情報サーバ２とは異なる）ゲートウェイ装置や保守運用装置のＩＰアドレス等の情報が含まれている。接続先設定部１４は、接続先情報受信部１３が受信したＩＰアドレスを、自己の接続先として設定する。尚、位置情報には、無線基地局装置自身のＩＰアドレスを含めるか又は無線基地局装置に予め設定された識別情報を含めておき、接続先サーバ２は、そのＩＰアドレス、又はブロードキャストにより接続先情報を送信するようにしてもよい。ブロードキャストデータには、無線基地局装置自身の識別情報やＩＰアドレスを含めておき、無線基地局装置は、受信したブロードキャストデータに、自身の識別情報やＩＰアドレスが含まれていれば自身宛のデータとして取り込み、接続先情報を取得する。【００１５】
接続先情報サーバ２は、位置情報受信部２１、住所データベース２２、住所検索部２３、接続先データベース２４、接続先検索部２５、接続先情報送信部２６および更新情報取得部２７を備えている。位置情報受信部２１は、ネットワークから無線基地局装置１の設置位置情報を受信する。住所データベース２２は、位置情報と住所情報を対応づけるデータベースである。【００１６】
住所検索部２３は、住所データベース２２を検索し、位置情報受信部２１が受信した設置位置情報に対応する住所情報を取得する。また、住所検索部２３は、無線基地局装置ごとに、検索により得た住所情報を、位置情報受信部２１が受信した設置位置情報のパケットに含まれる送信元ＩＰアドレスとともに、基地局装置データ２８として記憶する。【００１７】
特に限定しないが、例えば図２に示す例の住所データベース２２では、経度および緯度の位置情報に対して、都道府県の市区町村の何丁目という単位で地域が対応づけられている。従って、無線基地局装置１の設置位置の経度と緯度の位置情報に基づいて、住所検索部２３が住所データベース２２を検索することによって、その設置位置の住所が例えばどこの都道府県のどこの市区町村の何丁目であるか、ということがわかる。【００１８】
なお、図２は、住所データベース２２の構成を概念的に示す図であり、経度および緯度の情報をより細かくしてもよいし、より大まかにしてもよい。また、地域の単位も市区町村程度までにしてよいし、より細かくして番地まで含むようにしてもよい。このように、経度と緯度の位置情報から住所情報を得る地図ソフトウェア製品として、例えば、株式会社アルプス社の「リバースジオコーダーＡＰＩ」（商品名）が公知である（インターネット＜ＵＲＬ：http://www.alpsmap.jp/mapinfo/data/geocoding/＞）。【００１９】
接続先データベース２４は、住所情報と接続先情報を対応づけるデータベースである。接続先検索部２５は、接続先データベース２４を検索し、住所検索部２３の検索により得た住所情報に対応する接続先情報を取得する。特に限定しないが、図３に示す例の接続先データベース２４では、都道府県単位で地域が区切られており、都道府県ごとに接続先装置とその装置のＩＰドレスアが対応づけられている。従って、無線基地局装置１の住所情報に基づいて、接続先検索部２５が接続先データベース２４を検索することによって、その無線基地局装置１の接続先装置と接続先ＩＰアドレスがわかる。オペレータは、接続先データベース２４の地域の範囲を任意に設定することができる。【００２０】
なお、図３は、接続先データベース２４の構成を概念的に示す図であり、地域を市区町村程度まで細かく分けてもよい。接続先情報送信部２６は、接続先検索部２５の検索により得たＩＰアドレス等の接続先情報をネットワークへ送信する。更新情報取得部２７は、外部から接続先データベース２４の更新情報を取得する。この更新情報は、接続先データベース２４の住所情報と接続先情報の対応関係を変更する情報であり、オペレータから与えられる。【００２１】
更新情報取得部２７は、オペレータから与えられた更新情報に基づいて、接続先データベース２４の登録情報を更新する。また、更新情報取得部２７は、基地局装置データ２８を参照し、接続先が変更される無線基地局装置１のＩＰアドレスを取得する。更新情報取得部２７は、接続先データベース２４の更新により無線基地局装置１の新たな接続先となるゲートウェイ装置や保守運用装置のＩＰアドレス等の情報と、更新対象の無線基地局装置１のＩＰアドレスを接続先情報送信部２６に渡す。接続先情報送信部２６は、更新情報取得部２７から渡されたＩＰアドレスを宛先ＩＰアドレスに指定し、新たな接続先装置のＩＰアドレス等の情報をネットワークへ送信する。【００２２】
次に、図１に示す構成のネットワーク構成管理システムにおける無線基地局装置の接続先設定手順に付いて説明する。図４は、本発明にかかるネットワーク構成管理システムの更新前のネットワーク構成の一例を示す図である。ここでは、図４に示すように、接続先情報サーバ２と、Ａ県用の無線基地局装置Ａ（ＢＳ＿Ａ）４ａと、Ｂ県用の無線基地局装置Ｂ（ＢＳ＿Ｂ）４ｂと、Ｃ県用の無線基地局装置Ｃ（ＢＳ＿Ｃ）４ｃおよびＤ（ＢＳ＿Ｄ）４ｄがＩＰネットワーク３に接続されているとする。【００２３】
また、Ａ県用のゲートウェイ装置Ａ（ＡＳＮ−ＧＷ＿Ａ）５ａおよび保守運用装置Ａ（ＯＭＣ＿Ａ）６ａと、Ｂ県用のゲートウェイ装置Ｂ（ＡＳＮ−ＧＷ＿Ｂ）５ｂおよび保守運用装置Ｂ（ＯＭＣ＿Ｂ）６ｂと、Ｃ県用のゲートウェイ装置Ｃ（ＡＳＮ−ＧＷ＿Ｃ）５ｃおよび保守運用装置Ｃ（ＯＭＣ＿Ｃ）６ｃがＩＰネットワーク３に接続されているとする。この構成は、図３に示す接続先データベース２４の登録内容に相当する。【００２４】
図５は、本発明にかかるネットワーク構成管理システムのネットワーク構成の他の例を示す図である。図５に示すように、このネットワーク構成は、図４に示すネットワーク構成に、ゲートウェイ装置Ｄ５ｄと保守運用装置Ｄ６ｄをＣ県Ｄ市用に増設したものである。図５に示す例では、Ｃ県において、無線基地局装置Ｄ４ｄがＣ県Ｄ市に設置されており、無線基地局装置Ｃ４ｃは、Ｃ県のうち、Ｄ市を除く市区町村に設置されているとする。図６は、図５に示すネットワーク構成における接続先データベースの登録内容を示す図である。【００２５】
図７は、図４に示すネットワーク構成における無線基地局装置の接続先設定手順と、ネットワーク構成が図４に示す構成から図５に示す構成に変更された場合の無線基地局装置の接続先設定手順を示す図である。まず、図４に示すネットワーク構成における無線基地局装置の接続先設定手順を説明する。図７に示すように、各無線基地局装置４ａ，４ｂ，４ｃ，４ｄは、それぞれ、自己の設置位置情報を取得する。【００２６】
そして、各無線基地局装置４ａ，４ｂ，４ｃ，４ｄは、接続先情報サーバ２のＩＰアドレスを宛先アドレスに指定して、設置位置情報をＩＰネットワーク３へ送信する。それによって、各無線基地局装置４ａ，４ｂ，４ｃ，４ｄは、自己の設置位置情報を接続先情報サーバ２へ通知する（ステップＳ１、ステップＳ５、ステップＳ９およびステップＳ１３）。【００２７】
接続先情報サーバ２は、各無線基地局装置４ａ，４ｂ，４ｃ，４ｄから送られてきた設置位置情報を受信する。そして、接続先情報サーバ２は、設置位置情報に基づいて、住所データベース２２から無線基地局装置４ａ，４ｂ，４ｃ，４ｄごとにそれぞれの設置位置の住所情報を導き出す。さらに、接続先情報サーバ２は、住所情報に基づいて、接続先データベース２４（図３参照）から無線基地局装置４ａ，４ｂ，４ｃ，４ｄごとにそれぞれの接続先情報を導き出す。【００２８】
各接続先情報には、各無線基地局装置４ａ，４ｂ，４ｃ，４ｄの接続先となるゲートウェイ装置５ａ，５ｂ，５ｃのＩＰアドレスおよび保守運用装置６ａ，６ｂ，６ｃのＩＰアドレスが含まれている。そして、接続先情報サーバ２は、各無線基地局装置４ａ，４ｂ，４ｃ，４ｄのＩＰアドレスを宛先アドレスに指定して、接続先情報をＩＰネットワーク３へ送信する。それによって、接続先情報サーバ２は、接続先情報を各無線基地局装置４ａ，４ｂ，４ｃ，４ｄへ通知する（ステップＳ２、ステップＳ６、ステップＳ１０およびステップＳ１４）。【００２９】
各無線基地局装置４ａ，４ｂ，４ｃ，４ｄは、接続先情報サーバ２から送られてきた接続先情報を受信し、接続先情報に含まれるＩＰアドレスを接続先ＩＰアドレスとして登録する。そして、各無線基地局装置４ａ，４ｂ，４ｃ，４ｄは、それぞれの接続先ＩＰアドレスに基づいて、各県用のゲートウェイ装置５ａ，５ｂ，５ｃと接続処理を行う（ステップＳ３、ステップＳ７、ステップＳ１１およびステップＳ１５）。また、各無線基地局装置４ａ，４ｂ，４ｃ，４ｄは、それぞれの接続先ＩＰアドレスに基づいて、各県用の保守運用装置６ａ，６ｂ，６ｃと接続処理を行う（ステップＳ４、ステップＳ８、ステップＳ１２およびステップＳ１６）。【００３０】
以上のようにして、Ａ県用の無線基地局装置Ａ４ａとＡ県用のゲートウェイ装置Ａ５ａおよび保守運用装置Ａ６ａとの間のＩＰネットワーク３を介した接続が確立される。Ｂ県用の無線基地局装置Ｂ４ｂとＢ県用のゲートウェイ装置Ｂ５ｂおよび保守運用装置Ｂ６ｂとの間の接続、並びにＣ県用の無線基地局装置Ｃ４ｃおよび無線基地局装置Ｄ４ｄとＣ県用のゲートウェイ装置Ｃ５ｃおよび保守運用装置Ｃ６ｃとの間の接続も、ＩＰネットワーク３を介して確立される。【００３１】
この状態での運用中に、図５に示すように、Ｃ県Ｄ市用のゲートウェイ装置Ｄ５ｄとＣ県Ｄ市用の保守運用装置Ｄ６ｄが増設された場合のＣ県Ｄ市に設置されている無線基地局装置の接続先設定手順を説明する。図７に示すように、オペレータ７は、接続先データベース２４の登録内容を変更するために、接続先情報の変更作業を行い、接続先情報サーバ２に更新情報を入力する（ステップＳ２１）。それによって、接続先データベース２４にＣ県Ｄ市の接続先装置とそのＩＰアドレスのレコードが追加される（図６参照）。【００３２】
接続先情報サーバ２は、基地局装置データ２８から、Ｃ県Ｄ市に設置されている無線基地局装置４ｄを抽出し、その無線基地局装置４ｄのＩＰアドレスを宛先アドレスに指定して、新たな接続先情報をＩＰネットワーク３へ送信する。それによって、接続先情報サーバ２は、新たな接続先情報をＣ県Ｄ市用の無線基地局装置Ｄ４ｄへ通知する（ステップＳ２２）。Ｃ県Ｄ市用の無線基地局装置Ｄ４ｄは、接続先情報サーバ２から送られてきた接続先情報を受信し、接続先情報に含まれるＩＰアドレスを新たな接続先ＩＰアドレスとして登録する。【００３３】
そして、Ｃ県Ｄ市用の無線基地局装置Ｄ４ｄは、新たな接続先ＩＰアドレスに基づいて、Ｃ県Ｄ市用のゲートウェイ装置Ｄ５ｄとの接続処理およびＣ県Ｄ市用の保守運用装置Ｄ６との接続処理を行う（ステップＳ２３およびステップＳ２４）。以上のようにして、Ｃ県Ｄ市にある無線基地局装置Ｄ４ｄと、Ｃ県Ｄ市用に増設されたゲートウェイ装置Ｄ５ｄおよび保守運用装置Ｄ６ｄとの間の接続がＩＰネットワーク３を介して確立される。【００３４】
以上説明したように、実施の形態によれば、全地球測位システムを利用することによって、無線基地局装置は、自己の設置位置情報を自動的に取得することができる。そして、その設置位置情報を接続先情報サーバに通知することによって、接続先情報サーバは、無線基地局装置の設置位置情報を自動的に取得することができる。また、接続先情報サーバは、設置位置情報を住所情報に変換し、その住所情報に基づいて無線基地局装置の接続先となるゲートウェイ装置や保守運用装置のＩＰアドレス等を決定するので、無線基地局装置の接続先を自動的に設定することができる。【００３５】
このように、無線基地局装置、ゲートウェイ装置および保守運用装置などのネットワークに接続される装置を、無線基地局装置が設置されている住所地に基づいて管理することができるので、オペレータが個々の無線基地局装置の接続先情報を一つ一つ設定する手間が省ける。また、オペレータが接続先データベースの登録内容を変更するだけで、無線基地局装置の接続先を変更することができる。従って、移動通信システムの保守および運用に要するコストを削減することができる。無線基地局装置の設置数が多数あり、数十台から数百台の単位で接続先を変更する場合の効果は非常に大きい。【００３６】
なお、接続先情報サーバに代えて、ネットワークに接続されるいずれか一つの保守運用装置に住所データベースと接続先データベースを設け、その保守運用装置が接続先情報サーバの機能を有していてもよい。また、本発明は、ＩＰネットワーク以外に、ＭＴＰ（Ｍｅｓｓａｇｅ  Ｔｒａｎｓｆｅｒ  Ｐｒｏｔｏｃｏｌ）を用いたネットワークにも適用することができる。その場合、接続先情報には、ＩＰアドレスの代わりに、ＤＰＣ（Ｄｅｓｔｉｎａｔｉｏｎ  Ｐｏｉｎｔ  Ｃｏｄｅ）が含まれる。【００３７】
尚、接続先情報サーバとして位置情報と、対応する接続先情報との対応関係を記憶しており、無線基地局装置からの位置情報の受信により、その位置に対応する接続先情報をこの無線基地局装置に通知すればＩＰ通信とは異なる通信方式を用いて無線基地局との間で通信を行ってもよい。
【産業上の利用可能性】
【００３８】
以上のように、本発明にかかる無線基地局装置、ネットワーク構成管理システム、ネットワーク構成管理装置およびネットワーク構成管理方法は、移動通信システムにおけるネットワーク構成の保守および運用に有用であり、特に、ＷｉＭＡＸシステムにおけるネットワーク構成の保守および運用に適している。
【図１】
2008142776.tif 000003
【図２】
2008142776.tif 000004
【図３】
2008142776.tif 000005
【図４】
2008142776.tif 000006
【図５】
2008142776.tif 000007
【図６】
2008142776.tif 000008
【図７】
2008142776.tif 000009
【手続補正書】
【提出日】平成21年9月10日(2009.9.10)
【手続補正１】
【補正対象書類名】明細書
【補正対象項目名】全文
【補正方法】変更
【補正の内容】
【発明の詳細な説明】
【技術分野】
【０００１】
本発明は、無線基地局装置、ネットワークに接続される無線基地局装置を管理するネットワーク構成管理システム、ネットワーク構成管理装置およびネットワーク構成管理方法に関するものである。
【背景技術】
【０００２】
ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等の移動通信システムでは、無線基地局装置（ＢＳ）は、ゲートウェイ装置（ＡＳＮ−ＧＷ：Ａｃｃｅｓｓ  Ｓｅｒｖｉｃｅ  Ｎｅｔｗｏｒｋ  Ｇａｔｅｗａｙ）や保守運用装置（ＯＭＣ：Ｏｐｅｒａｔｉｏｎ  ａｎｄ  Ｍａｉｎｔｅｎａｎｃｅ  Ｃｅｎｔｅｒ）などに接続される。そのため、無線基地局装置には、それらの接続先を特定するＩＰアドレス等の情報が設定される。
【０００３】
基地局へダウンロードを行う従来技術として、例えば、特許文献１がある。ここでは、「無線基地局制御装置５と接続後、無線基地局７の電源を投入する（２１）。無線基地局７は電源投入を契機として初期設定制御部３６にて装置の自己診断を行い（２２）、立ち上がり完了後、無線基地局制御装置５に対し、図３の局情報読み出し処理部３２にて、局情報テーブル３１より前記自己情報を読み出し（２３）、送信制御部３４より自己情報を無線基地局制御装置５に対して送信する（２６）。無線基地局制御装置５では、送られてきたを受信し（２９）、回線番号と受信情報の対応付けを行い、自己管理情報として記憶するとともに、自己の識別番号、ソフト版数を付加し、交換機４経由で網サービス制御装置３へ送信する（２１１）。網サービス制御装置３では情報を受信し（２１５）、受信情報より、交換機４、無線基地局制御装置５、無線基地局７の対応付け及び編集を行い（２１６）、本情報を記憶・蓄積し（２１７）、無線基地局制御装置５を経由し、無線基地局７へダウンロードする（２１８）」ことを開示する。
【先行技術文献】
【特許文献】
【０００４】
【特許文献１】特開平６−２６１３６２号公報（段落番号［００１０］〜［００１１］）
【発明の概要】
【発明が解決しようとする課題】
【０００５】
しかしながら、従来のネットワーク構成管理システムでは、ネットワークの保守および運用を行うオペレータ（以下、単にオペレータとする）が、多数の無線基地局装置に対して個々に接続先情報を設定するため、ネットワークの保守および運用に莫大な費用と時間がかかるという問題点がある。また、無線基地局装置の増加に伴い、ゲートウェイ装置や保守運用装置を増設する場合、一部の無線基地局装置の接続先を、既存のゲートウェイ装置や保守運用装置から、増設されたゲートウェイ装置や保守運用装置に変更する必要がある。この接続変えの作業は、非常に煩雑である。従来のネットワーク構成管理システムでは、オペレータは、この接続変えの作業も行わなければならない。
【０００６】
本発明は、上記に鑑みてなされたものであって、より簡単に無線基地局装置に局データを設定することを目的する。
【課題を解決するための手段】
【０００７】
上述した課題を解決し、目的を達成するために、本発明は、以下の特徴を有する。無線基地局装置は、自装置の位置情報を取得し、その位置情報をネットワーク構成管理装置へ送信する。ネットワーク構成管理装置は、無線基地局装置の設置位置情報を受信し、その設置位置情報に対応する接続先情報を接続先データベースから取得し、その接続先情報を前記無線基地局装置へ送信する。接続先データベースには、位置情報と接続先情報との対応関係が記憶されている。無線基地局装置は、その接続先情報に基づいて、自己の接続先の設定を行う。
【発明の効果】
【０００８】
本発明によれば、より簡単に無線基地局装置に局データを設定することができる。
【図面の簡単な説明】
【０００９】
【図１】本発明にかかるネットワーク構成管理システムの主要な構成を示す図である。
【図２】住所データベースの構成を示す図である。
【図３】更新前の接続先データベースの構成を示す図である。
【図４】本発明にかかるネットワーク構成管理システムの更新前のネットワーク構成を示す図である。
【図５】本発明にかかるネットワーク構成管理システムの更新後のネットワーク構成を示す図である。
【図６】更新後の接続先データベースの構成を示す図である。
【図７】本発明にかかるネットワーク構成管理システムの接続先設定手順を示す図である。
【発明を実施するための形態】
【００１０】
以下に、本発明にかかるネットワーク構成管理システム、ネットワーク構成管理装置およびネットワーク構成管理方法の実施例を図面に基づいて詳細に説明する。ここでは、本発明をＷｉＭＡＸシステムのネットワークに適用した例について説明する。なお、この実施例によりこの発明が限定されるものではない。
【００１１】
図１は、本発明にかかるネットワーク構成管理システムの主要な構成を示す図である。また、図２および図３は、それぞれ、このネットワーク構成管理システムにおいて用いられる住所データベースおよび更新前の接続先データベースの構成を示す図である。図１に示すように、ネットワーク構成管理システムは、無線基地局装置（ＢＳ）１と、ネットワーク構成管理装置としての機能を有する接続先情報サーバ２を備えている。これら無線基地局装置１および接続先情報サーバ２は、図示省略したネットワークに接続されている。
【００１２】
無線基地局装置１は、位置情報取得部１１、位置情報送信部１２、接続先情報受信部１３および接続先設定部１４を備えている。位置情報取得部１１は、アンテナおよびＧＰＳレシーバを有している。位置情報取得部１１は、全地球測位システムの衛星から電波を受信し、自己の設置位置情報として経度と緯度の情報を取得する。全地球測位システムおよびＧＰＳレシーバについては、周知の技術であるので、ここでは説明を省略する。無線基地局装置１には、予め接続先情報サーバ２のＩＰアドレスが設定されている。
【００１３】
位置情報送信部１２は、接続先情報サーバ２のＩＰアドレスを宛先ＩＰアドレスに指定して、位置情報取得部１１が取得した設置位置情報をネットワークへ送信する。接続先情報受信部１３は、ネットワークを介して接続先情報サーバ２から接続先情報を受信する。この接続先情報には、無線基地局装置１の運用時の接続先となる（接続先情報サーバ２とは異なる）ゲートウェイ装置や保守運用装置のＩＰアドレス等の情報が含まれている。接続先設定部１４は、接続先情報受信部１３が受信したＩＰアドレスを、自己の接続先として設定する。
【００１４】
尚、位置情報には、無線基地局装置自身のＩＰアドレスを含めるか又は無線基地局装置に予め設定された識別情報を含めておき、接続先サーバ２は、そのＩＰアドレス、又はブロードキャストにより接続先情報を送信するようにしてもよい。ブロードキャストデータには、無線基地局装置自身の識別情報やＩＰアドレスを含めておき、無線基地局装置は、受信したブロードキャストデータに、自身の識別情報やＩＰアドレスが含まれていれば自身宛のデータとして取り込み、接続先情報を取得する。
【００１５】
接続先情報サーバ２は、位置情報受信部２１、住所データベース２２、住所検索部２３、接続先データベース２４、接続先検索部２５、接続先情報送信部２６および更新情報取得部２７を備えている。位置情報受信部２１は、ネットワークから無線基地局装置１の設置位置情報を受信する。住所データベース２２は、位置情報と住所情報を対応づけるデータベースである。
【００１６】
住所検索部２３は、住所データベース２２を検索し、位置情報受信部２１が受信した設置位置情報に対応する住所情報を取得する。また、住所検索部２３は、無線基地局装置ごとに、検索により得た住所情報を、位置情報受信部２１が受信した設置位置情報のパケットに含まれる送信元ＩＰアドレスとともに、基地局装置データ２８として記憶する。
【００１７】
特に限定しないが、例えば図２に示す例の住所データベース２２では、経度および緯度の位置情報に対して、都道府県の市区町村の何丁目という単位で地域が対応づけられている。従って、無線基地局装置１の設置位置の経度と緯度の位置情報に基づいて、住所検索部２３が住所データベース２２を検索することによって、その設置位置の住所が例えばどこの都道府県のどこの市区町村の何丁目であるか、ということがわかる。
【００１８】
なお、図２は、住所データベース２２の構成を概念的に示す図であり、経度および緯度の情報をより細かくしてもよいし、より大まかにしてもよい。また、地域の単位も市区町村程度までにしてよいし、より細かくして番地まで含むようにしてもよい。このように、経度と緯度の位置情報から住所情報を得る地図ソフトウェア製品として、例えば、株式会社アルプス社の「リバースジオコーダーＡＰＩ」（商品名）が公知である（インターネット＜ＵＲＬ：ｈｔｔｐ：／／ｗｗｗ．ａｌｐｓｍａｐ．ｊｐ／ｍａｐｉｎｆｏ／ｄａｔａ／ｇｅｏｃｏｄｉｎｇ／＞）。
【００１９】
接続先データベース２４は、住所情報と接続先情報を対応づけるデータベースである。接続先検索部２５は、接続先データベース２４を検索し、住所検索部２３の検索により得た住所情報に対応する接続先情報を取得する。特に限定しないが、図３に示す例の接続先データベース２４では、都道府県単位で地域が区切られており、都道府県ごとに接続先装置とその装置のＩＰドレスアが対応づけられている。従って、無線基地局装置１の住所情報に基づいて、接続先検索部２５が接続先データベース２４を検索することによって、その無線基地局装置１の接続先装置と接続先ＩＰアドレスがわかる。オペレータは、接続先データベース２４の地域の範囲を任意に設定することができる。
【００２０】
なお、図３は、接続先データベース２４の構成を概念的に示す図であり、地域を市区町村程度まで細かく分けてもよい。接続先情報送信部２６は、接続先検索部２５の検索により得たＩＰアドレス等の接続先情報をネットワークへ送信する。更新情報取得部２７は、外部から接続先データベース２４の更新情報を取得する。この更新情報は、接続先データベース２４の住所情報と接続先情報の対応関係を変更する情報であり、オペレータから与えられる。
【００２１】
更新情報取得部２７は、オペレータから与えられた更新情報に基づいて、接続先データベース２４の登録情報を更新する。また、更新情報取得部２７は、基地局装置データ２８を参照し、接続先が変更される無線基地局装置１のＩＰアドレスを取得する。更新情報取得部２７は、接続先データベース２４の更新により無線基地局装置１の新たな接続先となるゲートウェイ装置や保守運用装置のＩＰアドレス等の情報と、更新対象の無線基地局装置１のＩＰアドレスを接続先情報送信部２６に渡す。接続先情報送信部２６は、更新情報取得部２７から渡されたＩＰアドレスを宛先ＩＰアドレスに指定し、新たな接続先装置のＩＰアドレス等の情報をネットワークへ送信する。
【００２２】
次に、図１に示す構成のネットワーク構成管理システムにおける無線基地局装置の接続先設定手順に付いて説明する。図４は、本発明にかかるネットワーク構成管理システムの更新前のネットワーク構成の一例を示す図である。ここでは、図４に示すように、接続先情報サーバ２と、Ａ県用の無線基地局装置Ａ（ＢＳ＿Ａ）４ａと、Ｂ県用の無線基地局装置Ｂ（ＢＳ＿Ｂ）４ｂと、Ｃ県用の無線基地局装置Ｃ（ＢＳ＿Ｃ）４ｃおよびＤ（ＢＳ＿Ｄ）４ｄがＩＰネットワーク３に接続されているとする。
【００２３】
また、Ａ県用のゲートウェイ装置Ａ（ＡＳＮ−ＧＷ＿Ａ）５ａおよび保守運用装置Ａ（ＯＭＣ＿Ａ）６ａと、Ｂ県用のゲートウェイ装置Ｂ（ＡＳＮ−ＧＷ＿Ｂ）５ｂおよび保守運用装置Ｂ（ＯＭＣ＿Ｂ）６ｂと、Ｃ県用のゲートウェイ装置Ｃ（ＡＳＮ−ＧＷ＿Ｃ）５ｃおよび保守運用装置Ｃ（ＯＭＣ＿Ｃ）６ｃがＩＰネットワーク３に接続されているとする。この構成は、図３に示す接続先データベース２４の登録内容に相当する。
【００２４】
図５は、本発明にかかるネットワーク構成管理システムのネットワーク構成の他の例を示す図である。図５に示すように、このネットワーク構成は、図４に示すネットワーク構成に、ゲートウェイ装置Ｄ５ｄと保守運用装置Ｄ６ｄをＣ県Ｄ市用に増設したものである。図５に示す例では、Ｃ県において、無線基地局装置Ｄ４ｄがＣ県Ｄ市に設置されており、無線基地局装置Ｃ４ｃは、Ｃ県のうち、Ｄ市を除く市区町村に設置されているとする。図６は、図５に示すネットワーク構成における接続先データベースの登録内容を示す図である。
【００２５】
図７は、図４に示すネットワーク構成における無線基地局装置の接続先設定手順と、ネットワーク構成が図４に示す構成から図５に示す構成に変更された場合の無線基地局装置の接続先設定手順を示す図である。まず、図４に示すネットワーク構成における無線基地局装置の接続先設定手順を説明する。図７に示すように、各無線基地局装置４ａ，４ｂ，４ｃ，４ｄは、それぞれ、自己の設置位置情報を取得する。
【００２６】
そして、各無線基地局装置４ａ，４ｂ，４ｃ，４ｄは、接続先情報サーバ２のＩＰアドレスを宛先アドレスに指定して、設置位置情報をＩＰネットワーク３へ送信する。それによって、各無線基地局装置４ａ，４ｂ，４ｃ，４ｄは、自己の設置位置情報を接続先情報サーバ２へ通知する（ステップＳ１、ステップＳ５、ステップＳ９およびステップＳ１３）。
【００２７】
接続先情報サーバ２は、各無線基地局装置４ａ，４ｂ，４ｃ，４ｄから送られてきた設置位置情報を受信する。そして、接続先情報サーバ２は、設置位置情報に基づいて、住所データベース２２から無線基地局装置４ａ，４ｂ，４ｃ，４ｄごとにそれぞれの設置位置の住所情報を導き出す。さらに、接続先情報サーバ２は、住所情報に基づいて、接続先データベース２４（図３参照）から無線基地局装置４ａ，４ｂ，４ｃ，４ｄごとにそれぞれの接続先情報を導き出す。
【００２８】
各接続先情報には、各無線基地局装置４ａ，４ｂ，４ｃ，４ｄの接続先となるゲートウェイ装置５ａ，５ｂ，５ｃのＩＰアドレスおよび保守運用装置６ａ，６ｂ，６ｃのＩＰアドレスが含まれている。そして、接続先情報サーバ２は、各無線基地局装置４ａ，４ｂ，４ｃ，４ｄのＩＰアドレスを宛先アドレスに指定して、接続先情報をＩＰネットワーク３へ送信する。それによって、接続先情報サーバ２は、接続先情報を各無線基地局装置４ａ，４ｂ，４ｃ，４ｄへ通知する（ステップＳ２、ステップＳ６、ステップＳ１０およびステップＳ１４）。
【００２９】
各無線基地局装置４ａ，４ｂ，４ｃ，４ｄは、接続先情報サーバ２から送られてきた接続先情報を受信し、接続先情報に含まれるＩＰアドレスを接続先ＩＰアドレスとして登録する。そして、各無線基地局装置４ａ，４ｂ，４ｃ，４ｄは、それぞれの接続先ＩＰアドレスに基づいて、各県用のゲートウェイ装置５ａ，５ｂ，５ｃと接続処理を行う（ステップＳ３、ステップＳ７、ステップＳ１１およびステップＳ１５）。また、各無線基地局装置４ａ，４ｂ，４ｃ，４ｄは、それぞれの接続先ＩＰアドレスに基づいて、各県用の保守運用装置６ａ，６ｂ，６ｃと接続処理を行う（ステップＳ４、ステップＳ８、ステップＳ１２およびステップＳ１６）。
【００３０】
以上のようにして、Ａ県用の無線基地局装置Ａ４ａとＡ県用のゲートウェイ装置Ａ５ａおよび保守運用装置Ａ６ａとの間のＩＰネットワーク３を介した接続が確立される。Ｂ県用の無線基地局装置Ｂ４ｂとＢ県用のゲートウェイ装置Ｂ５ｂおよび保守運用装置Ｂ６ｂとの間の接続、並びにＣ県用の無線基地局装置Ｃ４ｃおよび無線基地局装置Ｄ４ｄとＣ県用のゲートウェイ装置Ｃ５ｃおよび保守運用装置Ｃ６ｃとの間の接続も、ＩＰネットワーク３を介して確立される。
【００３１】
この状態での運用中に、図５に示すように、Ｃ県Ｄ市用のゲートウェイ装置Ｄ５ｄとＣ県Ｄ市用の保守運用装置Ｄ６ｄが増設された場合のＣ県Ｄ市に設置されている無線基地局装置の接続先設定手順を説明する。図７に示すように、オペレータ７は、接続先データベース２４の登録内容を変更するために、接続先情報の変更作業を行い、接続先情報サーバ２に更新情報を入力する（ステップＳ２１）。それによって、接続先データベース２４にＣ県Ｄ市の接続先装置とそのＩＰアドレスのレコードが追加される（図６参照）。
【００３２】
接続先情報サーバ２は、基地局装置データ２８から、Ｃ県Ｄ市に設置されている無線基地局装置４ｄを抽出し、その無線基地局装置４ｄのＩＰアドレスを宛先アドレスに指定して、新たな接続先情報をＩＰネットワーク３へ送信する。それによって、接続先情報サーバ２は、新たな接続先情報をＣ県Ｄ市用の無線基地局装置Ｄ４ｄへ通知する（ステップＳ２２）。Ｃ県Ｄ市用の無線基地局装置Ｄ４ｄは、接続先情報サーバ２から送られてきた接続先情報を受信し、接続先情報に含まれるＩＰアドレスを新たな接続先ＩＰアドレスとして登録する。
【００３３】
そして、Ｃ県Ｄ市用の無線基地局装置Ｄ４ｄは、新たな接続先ＩＰアドレスに基づいて、Ｃ県Ｄ市用のゲートウェイ装置Ｄ５ｄとの接続処理およびＣ県Ｄ市用の保守運用装置Ｄ６との接続処理を行う（ステップＳ２３およびステップＳ２４）。以上のようにして、Ｃ県Ｄ市にある無線基地局装置Ｄ４ｄと、Ｃ県Ｄ市用に増設されたゲートウェイ装置Ｄ５ｄおよび保守運用装置Ｄ６ｄとの間の接続がＩＰネットワーク３を介して確立される。
【００３４】
以上説明したように、実施の形態によれば、全地球測位システムを利用することによって、無線基地局装置は、自己の設置位置情報を自動的に取得することができる。そして、その設置位置情報を接続先情報サーバに通知することによって、接続先情報サーバは、無線基地局装置の設置位置情報を自動的に取得することができる。また、接続先情報サーバは、設置位置情報を住所情報に変換し、その住所情報に基づいて無線基地局装置の接続先となるゲートウェイ装置や保守運用装置のＩＰアドレス等を決定するので、無線基地局装置の接続先を自動的に設定することができる。
【００３５】
このように、無線基地局装置、ゲートウェイ装置および保守運用装置などのネットワークに接続される装置を、無線基地局装置が設置されている住所地に基づいて管理することができるので、オペレータが個々の無線基地局装置の接続先情報を一つ一つ設定する手間が省ける。また、オペレータが接続先データベースの登録内容を変更するだけで、無線基地局装置の接続先を変更することができる。従って、移動通信システムの保守および運用に要するコストを削減することができる。無線基地局装置の設置数が多数あり、数十台から数百台の単位で接続先を変更する場合の効果は非常に大きい。
【００３６】
なお、接続先情報サーバに代えて、ネットワークに接続されるいずれか一つの保守運用装置に住所データベースと接続先データベースを設け、その保守運用装置が接続先情報サーバの機能を有していてもよい。また、本発明は、ＩＰネットワーク以外に、ＭＴＰ（Ｍｅｓｓａｇｅ  Ｔｒａｎｓｆｅｒ  Ｐｒｏｔｏｃｏｌ）を用いたネットワークにも適用することができる。その場合、接続先情報には、ＩＰアドレスの代わりに、ＤＰＣ（Ｄｅｓｔｉｎａｔｉｏｎ  Ｐｏｉｎｔ  Ｃｏｄｅ）が含まれる。
【００３７】
尚、接続先情報サーバとして位置情報と、対応する接続先情報との対応関係を記憶しており、無線基地局装置からの位置情報の受信により、その位置に対応する接続先情報をこの無線基地局装置に通知すればＩＰ通信とは異なる通信方式を用いて無線基地局との間で通信を行ってもよい。
【産業上の利用可能性】
【００３８】
以上のように、本発明にかかる無線基地局装置、ネットワーク構成管理システム、ネットワーク構成管理装置およびネットワーク構成管理方法は、移動通信システムにおけるネットワーク構成の保守および運用に有用であり、特に、ＷｉＭＡＸシステムにおけるネットワーク構成の保守および運用に適している。
【符号の説明】
【００３９】
１，４ａ，４ｂ，４ｃ，４ｄ  無線基地局装置
２  接続先情報サーバ
３  ＩＰネットワーク
１１  位置情報取得部
１２  位置情報送信部
１３  接続先情報受信部
１４  接続先設定部
２１  位置情報受信部
２２  住所データベース
２３  住所検索部
２４  接続先データベース
２５  接続先検索部
２６  接続先情報送信部
２７  更新情報取得部
【国際調査報告】
2008142776.tif 000010
2008142776.tif 000011
2008142776.tif 000012
2008142776.tif 000013